(57)【要約】【課題】構造が簡単でキャスターをカバン底部から突出させ移動状態と、キャスターを収納部に収納状態にすることが可能な収納可能キャスター付きカバンを提供することを目的とする。【解決手段】カバンの底部のコーナに開閉蓋付きキャスター収納部を固定し、前記キャスター収納部にキャスター保持部をキャスター収納部に配置された水平軸に回動自在に軸支し、キャスター保持部にキャスターフレームを回転自在に保持し、キャスターフレームに固定した車軸にキャスターを回転自在に軸支し、キャスター収納部の開閉蓋を開け、キャスター保持部を９０度回転しキャスターをキャスター収納部から突出させて移動可能状態とし、キャスター保持部を逆方向に回転しキャスターをキャスター収納部に収容状態にすることを特徴とする【選択図】  図５
2017144080.tif 000002
【特許請求の範囲】
【請求項１】
カバンの底部のコーナに開閉蓋付きキャスター収納部を固定し、前記キャスター収納部にキャスター保持部をキャスター収納部に配置された水平軸に回動自在に軸支し、キャスター保持部にキャスターフレームを回転自在に保持し、キャスターフレームに固定した車軸にキャスターを回転自在に軸支し、キャスター収納部の開閉蓋を開け、キャスター保持部を９０度回転しキャスターをキャスター収納部から突出させて移動可能状態とし、キャスター保持部を逆方向に回転しキャスターをキャスター収納部に収容状態にすることを特徴とする収納可能なキャスター付きカバン。
【請求項２】
キャスター保持部を水平軸を軸として９０度回転させキャスターをキャスター収納部から突出させるとキャスター保持部の水平軸を軸とした回転を阻止するラッチ手段をキャスター収納部に設け、キャスター収納部の外部に前記ラッチ手段を解除するラッチ解除手段を配置することを特徴とする請求項１に記載の収納可能なキャスター付きカバン。
【請求項３】
キャスターの突出開口を除くキャスター収納部の底部開口を開閉する開閉蓋をヒンジ手段を介して取付け、キャスター収納時、キャスター突出時にも閉状態にすることを可能とすることを特徴とする請求項１又は２に記載の収納可能なキャスター付きカバン。
【発明の詳細な説明】
【技術分野】
【０００１】
本発明は、キャスター付きカバンに関し、特に収納可能なキャスター付きカバンに関する。
【背景技術】
【０００２】
従来、キャスター付きカバンのキャスターは、カバン底部に固定される形態のものである。
【先行技術文献】
【特許文献】
【０００３】
【特許文献１】特開２００１−８７０２３号公報
【発明の概要】
【発明が解決しようとする課題】
【０００４】
キャスターがカバン底部に固定されているため、キャスターが常に露出し、移動時の汚れ等がキャスターに付着し見た目が良くないという問題と、電車内等でキャスター付きカバンを保持していないと移動してしまうという問題を有する。
【０００５】
本発明は、従来技術のもつ課題を解決する、構造が簡単でキャスターをカバン底部から突出させ移動状態と、キャスターを収納部に収納状態にすることが可能な収納可能キャスター付きカバンを提供することを目的とする。
【課題を解決するための手段】
【０００６】
本発明の収納可能キャスター付きカバンは、前記課題を解決するために、カバンの底部のコーナに開閉蓋付きキャスター収納部を固定し、前記キャスター収納部にキャスター保持部をキャスター収納部に配置された水平軸に回動自在に軸支し、キャスター保持部にキャスターフレームを回転自在に保持し、キャスターフレームに固定した車軸にキャスターを回転自在に軸支し、キャスター収納部の開閉蓋を開け、キャスター保持部を９０度回転しキャスターをキャスター収納部から突出させて移動可能状態とし、キャスター保持部を逆方向に回転しキャスターをキャスター収納部に収容状態にすることを特徴とする。
【０００７】
また、本発明の収納可能キャスター付きカバンは、キャスター保持部を水平軸を軸として９０度回転させキャスターをキャスター収納部から突出させるとキャスター保持部の水平軸を軸とした回転を阻止するラッチ手段をキャスター収納部に設け、キャスター収納部の外部に前記ラッチ手段を解除するラッチ解除手段を配置することを特徴とする。
【０００８】
また、本発明の収納可能キャスター付きカバンは、キャスターの突出開口を除くキャスター収納部の底部開口を開閉する開閉蓋をヒンジ手段を介して取付け、キャスター収納時、キャスター突出時にも閉状態にすることを可能としたことを特徴とする。
【発明の効果】
【０００９】
カバンの底部のコーナに開閉蓋付きキャスター収納部を固定し、前記キャスター収納部にキャスター保持部をキャスター収納部に配置された水平軸に回動自在に軸支し、キャスター保持部にキャスターフレームを回転自在に保持し、キャスターフレームに固定した車軸にキャスターを回転自在に軸支し、キャスター収納部の開閉蓋を開け、キャスター保持部を９０度回転しキャスターをキャスター収納部から突出させて移動可能状態とし、キャスター保持部を逆方向に回転しキャスターをキャスター収納部に収容状態にすることで、簡単な構成で、キャスターをキャスター収納部から突出して移動可能な状態と、キャスターをキャスター収納部に収納した状態に簡単な操作で実施することが可能となる。
キャスター保持部を水平軸を軸として９０度回転させキャスターをキャスター収納部から突出させるとキャスター保持部の水平軸を軸とした回転を阻止するラッチ手段をキャスター収納部に設け、キャスター収納部の外部に前記ラッチ手段を解除するラッチ解除手段を配置することで、収納部から突出させて移動状態の時キャスターが安定して走行することが可能となる。
キャスターの突出開口を除くキャスター収納部の底部開口を開閉する開閉蓋をヒンジ手段を介して取付け、キャスター収納時、キャスター突出時にも閉状態にすることを可能とすることで、キャスター突出時にも開閉蓋が閉じた状態なのでキャスターによる移動をスムーズに実施することが可能となる。
【図面の簡単な説明】
【００１０】
【図１】本発明の実施形態を示す図である。
【図２】本発明の実施形態を示す図である。
【図３】本発明の実施形態を示す図である。
【図４】本発明の実施形態を示す図である。
【図５】本発明の実施形態を示す図である。
【発明を実施するための形態】
【００１１】
本発明の実施の形態を図により説明する。図１は、カバンの底部のコーナに配置した収納部にキャスターを収納した状態を示す概略図であり、図２は、キャスターが収納部から突出した状態を示す概略図である。
【００１２】
カバン１には把手２が取り付けられている。カバン１の底部のコーナにキャスター収納部３が固定されている。
【００１３】
図３は、キャスター収納部３の縦断面図であり、図４は、キャスター収納部３の開閉蓋４を開けた状態の底面図である。
【００１４】
キャスター収納部３の底部開口には、キャスター突出開口を残して開閉蓋４がヒンジ５を介して開閉自在とされる。開閉蓋４には、弾性ロック手段６が取り付けられ、開閉蓋４が閉じた状態を保持する。
【００１５】
キャスター収納部３内には、水平軸７がその両端をキャスター収納部３に固定されて配置される。水平軸７には、キャスター保持部材８が回転自在に軸支される。キャスター保持部材８には、キャスターフレーム９が軸受１０を介して回転自在に配置される。キャスターフレーム９には、キャスター保持部材８に対しての抜け止め１１が固定される。
【００１６】
キャスターフレーム９に固定された車軸１２にキャスター１３が回転自在に軸支される。キャスター収納部３には、キャスター保持部８の水平軸７を軸とした回転をラッチするラッチ手段１４が配置される。キャスター収納部３の外部には、ラッチ手段１４を解除するラッチ解除手段１５が配置される。ラッチ手段１４は、キャスター１３がキャスター収納部３内に位置する時には作用しない。
【００１７】
図４に示すように、キャスター収納部３の開閉蓋４を開の状態にする。図５に示すように、キャスター１３を持ち持ち上げると、キャスター保持部材８が水平軸７を軸として９０度回転し、キャスター１３がキャッスター収納部３から突出状態になる。キャスター保持部材８が水平軸７を軸として９０度回転すると、キャスター収納部３に配置したラッチ手段１４がキャスター保持部材８の水平軸７を軸とした回転がラッチされる。
【００１８】
図５に示すように、キャスター１３がキャスター収納部３から突出状態になると開閉蓋４を閉の状態とし、開閉蓋４がキャスター１３の走行の障害にならないようにする。キャスター１３は、キャスター保持部材８の水平軸７を軸とした回転がラッチされているので安定して移動走行が可能になる。また、キャスターフレーム９がキャスター保持部材８に軸受１０を介して回転自在にされているため、キャスター１３による方向転換も容易に実施できる。
【００１９】
キャスター１３がキャスター収納部３から突出している状態からキャスター収納部３内に収納する手順を説明する。先ず、開閉蓋４を開の状態にする。次に、キャスター収納部３野外部に配置したラッチ解除手段１５を操作し、キャスター保持部材８の水平軸７を軸とした回転をラッチしているラッチ手段を解除する。キャスター１３を持って、キャスター１３の突出時とは逆方向に９０度回転してキャスター１３をキャスター収納部３内位置させる。開閉蓋４を図３の状態とする。
【００２０】
以上のように本発明の収納可能キャスター付きカバンは、簡単な構成で、キャスターをキャスター収納部から突出して移動可能な状態と、キャスターをキャスター収納部に収納した状態に簡単な操作で実施することが可能となる。
【符号の説明】
【００２１】
１： カバン、２：把手、３：キャスター収納部、４：開閉蓋、５：ヒンジ、６：弾性ロック手段、７：水平軸、 ８：キャスター保持部材、９：キャスターフレーム、１０：軸受、１１：抜け止め、１２：車軸、１３：キャスター、１４：ラッチ手段、１５：ラッチ解除手段
【図１】
2017144080.tif 000003
【図２】
2017144080.tif 000004
【図３】
2017144080.tif 000005
【図４】
2017144080.tif 000006
【図５】
2017144080.tif 000007